(57)【特許請求の範囲】
【請求項１】
吸汗性の伸縮性帯状部材で枝分かれのない環状に形成され、屈曲により区分される４つの帯状部を有するヘアバンドであって、該４つの帯状部が、
ヘアバンドの周長の４０％以上の長尺部と、長尺部よりも短い短尺部と、長尺部の一端と短尺部の一端とを繋ぐ第１連結部と、長尺部の他端と短尺部の他端とを繋ぐ第２連結部を備え、
長尺部と第１連結部又は第２連結部とがなす角度が１１０〜１５０°であり、
短尺部と第１連結部又は第２連結部とがなす角度が１１０〜１５０°であるヘアバンド。
【請求項２】
長尺部がヘアバンドの周長の６０％以下である請求項１記載のヘアバンド。
【請求項３】
長尺部と第１連結部又は第２連結部とがなす角度と、短尺部と第１連結部又は第２連結部とがなす角度が等しい請求項１又は２記載のヘアバンド。
【請求項４】
短尺部の幅が長尺部の幅以上である請求項１〜３のいずれかに記載のヘアバンド。
【請求項５】
長尺部、短尺部、第１連結部及び第２連結部が等幅である請求項１〜４のいずれかに記載のヘアバンド。
【請求項６】
着脱自在なサンバイザーを備える請求項１〜５のいずれかに記載のヘアバンド。
【発明の詳細な説明】
【技術分野】
【０００１】
本発明はヘアバンドに関する。
【背景技術】
【０００２】
スポーツ時等に前髪が邪魔にならないように前髪を上げたり、汗を吸収したりするため、吸汗性の伸縮性帯状部材で図７に示すように環状に形成されたヘアバンド１ｘが普及している。
【０００３】
ヘアバンドには、頭に装着後にずれにくいことが求められるので、ヘアバンドの内部にゴムを通すと共に、ヘアバンドに耳を出す開口部を設けることが提案されている（特許文献１）。
【先行技術文献】
【特許文献】
【０００４】
【特許文献１】特開２０１８―９３９００号公報
【発明の概要】
【発明が解決しようとする課題】
【０００５】
洗顔時などにおいて前髪を額よりも上にあげておけるようにヘアバンドを額より上の頭部に装着する場合、従来の伸縮性帯状部材で環状に形成されたヘアバンドによれば、装着状態を安定させるためには耳が塞がれてしまう。これに対し、耳を出す開口部を開けたヘアバンドによれば耳は塞がれないが、耳を開口部に出す手間が煩雑であり、耳周りの開口部を形成するヘアバンド部分が顔にかかるのでうっとうしく感じられることがある。
【０００６】
また、頭や額の汗が顔に流れ落ちてこないように、眉毛に沿って額にヘアバンドを装着する場合、従来の伸縮性帯状部材で環状に形成されたヘアバンドでは、ヘアバンドが装着中に上方にずれやすい。耳を出す開口部を開けたヘアバンドでは、開口部から耳を出した場合に、眉毛に沿って額にヘアバンドを装着した状態を保持することが困難である。
【０００７】
これに対し、本発明は、頭部や額の汗が顔に流れ落ちてこないように、眉毛に沿って額にヘアバンドを装着することも、前髪を額よりも上にあげておけるように、額より上の頭部にヘアバンドを装着することも容易に行え、装着状態を安定させることを課題とする。
【課題を解決するための手段】
【０００８】
本発明者は、伸縮性帯状部材で環状に形成されたヘアバンドを特定形状に屈曲させることにより、ヘアバンドの装着向きを変えるだけでヘアバンドを眉毛に沿って額に装着することも、額より上の頭部に装着することも容易になることを想到し、本発明を完成させた。
【０００９】
即ち、本発明は、吸汗性の伸縮性帯状部材で環状に形成され、屈曲により区分される４つの帯状部を有するヘアバンドであって、該４つの帯状部が、
ヘアバンドの周長の４０％以上の長尺部と、長尺部よりも短い短尺部と、長尺部の一端と短尺部の一端とを繋ぐ第１連結部と、長尺部の他端と短尺部の他端とを繋ぐ第２連結部を備え、
長尺部と第１連結部又は第２連結部とがなす角度が鈍角であり、
短尺部と第１連結部又は第２連結部とがなす角度が鈍角であるヘアバンドを提供する。
【発明の効果】
【００１０】
本発明のヘアバンドによれば、長尺部を顔に向けて装着することにより、眉毛に沿って額にヘアバンドを装着することが容易となる。一方、短尺部を顔に向けて装着することによりヘアバンドを額より上の頭部に装着し、前髪を額より上にあげておくことが容易となる。
【００１１】
そして、これらいずれの向きで装着しても、耳はヘアバンドで覆われず、また、装着状態が安定してヘアバンドは上下にずれにくい。
【００１２】
また、いずれの向きで装着する場合でも、単にヘアバンドを頭に嵌めればよく、ヘアバドに設けた開口部から耳を出すなどの手間は不要である。
【図面の簡単な説明】
【００１３】
【図１】図１は、実施例のヘアバンドの側面図ある。
【図２】図２は、実施例のヘアバンドの斜視図である。
【図３】図３は、実施例のヘアバンドの長尺部を額に当てた装着状態の斜視図である。
【図４】図４は、実施例のヘアバンドの短尺部を額より上の頭部に当てた装着状態の斜視図である。
【図５Ａ】図５Ａは、ヘアバンドに着脱自在なサンバイザーの斜視図である。
【図５Ｂ】図５Ｂは、サンバイザーを取り付けたヘアバンドの斜視図である。
【図６Ａ】図６Ａは、ヘアバンドと該ヘアバンドに着脱自在なサンバイザーの斜視図である。
【図６Ｂ】図６Ｂは、サンバイザーを取り付けたヘアバンドの斜視図である。
【図７】図７は、従来のヘアバンドの斜視図である。
【発明を実施するための形態】
【００１４】
以下、図面を参照しつつ本発明を具体的に説明する。なお、各図中、同一符号は同一又
は同等の構成要素を表している。
【００１５】
図１は、本発明の一実施例のヘアバンド１の側面図であり、図２はその斜視図である。また、図３はヘアバンド１の長尺部２を額に当てた装着状態の斜視図であり、図４はヘアバンド１の短尺部３を額より上の頭部に当てた装着状態の斜視図である。
【００１６】
このヘアバンド１は、吸汗性の伸縮性帯状部材で環状に形成されており、頭に装着することのできる大きさになっている点では公知のヘアバンドと同様であるが、屈曲により区分される４つの帯状部を有する点が特徴となっている。この４つの帯状部は、各帯状部の帯幅を２等分する中心線Ａで各帯状部の長さを考えた場合に、ヘアバンド１の周長の４０％以上の長尺部２と、長尺部２よりも短い短尺部３と、長尺部２の一端と短尺部３の一端とを繋ぐ第１連結部４ａと、長尺部２の他端と短尺部３の他端とを繋ぐ第２連結部４ｂで構成されている。
【００１７】
長尺部２の長さは、ヘアバンド１の周長の６０％以下が好ましく、短尺部３の長さは、ヘアバンドの周長の１５〜３０％が好ましい。
【００１８】
長尺部２と第１連結部４ａ又は第２連結部４ｂとがなす角度θ１と、短尺部３と第１連結部４ａ又は第２連結部４ｂとがなす角度θ２をそれぞれ１１０〜１５０°とすることが好ましく、また、双方の角度θ１、θ２を等しくすることが好ましい。
【００１９】
長尺部２の幅Ｗ2は、図３に示すように長尺部２を額の高さ内に当てやすくする点から３〜６ｃｍが好ましく、短尺部３の幅Ｗ3は後頭部の汗を吸収しやすくする点から３〜８ｃｍが好ましい。
【００２０】
長尺部２の幅Ｗ2と短尺部３の幅Ｗ3は等しくてもよく、異なっていても良いが、図３に示したように短尺部３を後頭部に当てて装着した場合に、後頭部の汗をより吸収できるようにする点から短尺部３の幅Ｗ3を長尺部２の幅Ｗ2より大きくしてもよい。一方、同一の伸縮性帯状部材の縫い合わせによりヘアバンド１を製造する場合の便宜上、長尺部２、短尺部３、第１連結部４ａ、第２連結部４ｂの全てを等幅にしてもよい。
【００２１】
本発明のヘアバンドは、単に頭に嵌めるだけで容易に装着することができる。その場合、図３に示すように、長尺部２を額に当てると、額や前頭部の汗を長尺部２で吸収することができ、後頭部の汗を短尺部３で吸収することができる。図４に示すように短尺部３を額より上の頭部に当てると、前髪を額よりも上にあげることができ、洗顔等において前髪が邪魔になることを防止できる。また、これら双方のいずれの向きで頭に装着する場合にも、ヘアバンド１が耳に被さらないようにすることができ、装着後に上下にヘアバンドがずれることを防止できる。
【００２２】
本発明のヘアバンドは、綿、ナイロン、ポリエステル、ポリウレタン等で形成された吸汗性の素材のリブ生地、パイル地等のタオル生地等の伸縮性材料から形成することができる。ゴム繊維を混入させてもよい。
【００２３】
長尺部２、短尺部３、第１連結部４ａ、第２連結部４ｂを屈曲させる方法としては、これら４つの帯状部をそれぞれ形成し、所定の角度に縫い合わせればよい。あるいは、ヘアバンド１を編み物として形成する場合には、所定の角度が形成されるように屈曲部で増し目又は減らし目を行えばよい。
【００２４】
本発明のヘアバンドは着脱自在のサンバイザーを備えても良い。サンバイザーとしては、例えば、図５Ａに示すように、つば１１と、つば１１の縁に形成された差し込み部１２とが一体成形された樹脂製サンバイザー１０Ａをあげることができる。差し込み部１２の長さＬはヘアバンド１の長尺部２の幅Ｗ2より短いことが好ましい。このサンバイザー１０Ａは、図５Ｂに示すように、長尺部２を額に当ててヘアバンド１を装着した場合に、長尺部２と額の間にサンバイザーの差し込み部１２を差し込むことにより簡便に装着することができる。
【００２５】
あるいは、長尺部２を表面と裏面の二重構造に形成しておき、サンバイザー１０Ａの差し込み部１２を、ヘアバンドの表面と裏面の間に差し込むことによりサンバイザー１０Ａをヘアバンドに装着してもよい。
【００２６】
また、図６Ａ、図６Ｂに示すように、つば１１の両端部にノッチ１３を設けたサンバイザー１０Ｂを使用することができる。この場合、図６Ａに示すように、ヘアバンド１には、短尺部３が額より上の頭部に当たるように該ヘアバンド１を装着した場合に、耳の上あたりとなる位置に予めボタン１４をつけておく。これにより、図６Ｂに示すようにサンバイザー１０Ｂのノッチ１３をヘアバンド１のボタン１４に差し込み、あるいはボタン１４からノッチ１３を引き抜くことで、容易にサンバイザー１０Ｂをヘアバンド１に着脱することができる。
【符号の説明】
【００２７】
１、１ｘ  ヘアバンド
２  長尺部
３  短尺部
４ａ  第１連結部
４ｂ  第２連結部
１０Ａ、１０Ｂ  サンバイザー
１１  つば
１２  差し込み部
１３  ノッチ
１４  ボタン
Ａ  帯幅の中心線
Ｌ  差し込み部の長さ
Ｗ2  長尺部の幅
Ｗ3  短尺部の幅
θ１  長尺部と連結部とがなす角度
θ２  短尺部と連結部とがなす角度
【要約】
【課題】眉毛に沿って額にヘアバンドを装着することも、ヘアバンドを額より上の頭部に装着することも容易に行え、装着状態が安定するヘアバンドを提供する。
【解決手段】ヘアバンド１が吸汗性の伸縮性帯状部材で環状に形成され、屈曲により区分される４つの帯状部を有する。該４つの帯状部は、ヘアバンドの周長の４０％以上の長尺部２と、長尺部２よりも短い短尺部３と、長尺部２の一端と短尺部３の一端とを繋ぐ第１連結部４ａと、長尺部２の他端と短尺部３の他端とを繋ぐ第２連結部４ｂを備え、長尺部２と第１連結部４ａ又は第２連結部４ｂとがなす角度θ１が鈍角であり、短尺部３と第１連結部４ａ又は第２連結部４ｂとがなす角度θ２が鈍角である。
【選択図】図１【図１】
0006799876.tif 000002
【図２】
0006799876.tif 000003
【図３】
0006799876.tif 000004
【図４】
0006799876.tif 000005
【図５Ａ】
0006799876.tif 000006
【図５Ｂ】
0006799876.tif 000007
【図６Ａ】
0006799876.tif 000008
【図６Ｂ】
0006799876.tif 000009
【図７】
0006799876.tif 000010